(57)【特許請求の範囲】
【請求項１】
電気配線に用いる配線モールの施工する際において、壁面から天井面、又は壁面から柱面との交わる隅部の見切りに当接し、配線モール間に設けられる配線モール曲がり接続具であって、
前記配線モール曲がり接続具の構成は両端断面をコ字状開口形とした、両端コ字状配線モールカバーと一端の断面コ字状にして、もう一方の端を終端とした終端形配線モールカバーを用いて、該終端形配線モールカバーの終端側カバー正面、及び側面に前記コ字状開口形の寸法の開口部を設け、該開口部の正面に前記両端コ字状配線モールカバーの端部コ字状開口形と前記終端形配線モールカバーの前記開口部と合わせ、取付け固定し、前記終端形配線モールカバーのうちの開口部を設けた側の側面と、前記両端コ字状配線モールカバーの内面とからなる、Ｌ字型をしていることを特徴とする配線モール曲がり接続具。
【請求項２】
前記終端形配線モールカバーに設けた前記開口部を広げ、前記両端コ字状配線モールカバーの一方端のコ字状の外形と開口を同様に広げ、前記終端形配線モールカバーの広げた前記開口部の正面に前記両端コ字状配線モールカバーの広げた端部コ字状開口形を合わせ取付け固定したことを特徴とする請求項１記載の配線モール曲がり接続具。  
【請求項３】
前記両端コ字状配線モールカバーと前記終端形配線モールカバーをフレキシブルカバー形状に形成、又は前記両端コ字状配線モールカバー、あるいは前記終端形配線モールカバーの一方をフレキシブルカバー形状に形成したことを特徴とする請求項１、又は請求項２記載の配線モール曲がり接続具。
【請求項４】
前記配線モール曲がり接続具を構成する両端コ字状配線モールカバーと終端形配線モールカバーをポリ塩化ビニルなどの合成樹脂材で一体成形することを特徴とする請求項１から請求項３のいずれかに記載の配線モール曲がり接続具。
【発明の詳細な説明】
【技術分野】
【０００１】
本発明は配線工事の施工において、配線収納により施工外観の美観と配線材の傷等の保護をする配線モールに関する。
【背景技術】
【０００２】
従来、例えば配戦工事においてケーブルを露出の形態で直接造営材に施工するが、劣化や損傷することから、配線モールを造営材に密接取付け該配線モール内に収め施工することで劣化や損傷を防止するものである。
【０００３】
しかし、造営材の構造は複雑に曲がり、角の変化が多いことから利用場所に適した様々な構造がある。
たとえば、室内の構造において曲がり角などの出角、入角、カーブ形、又はジョイントなどに合うに補助部材で、出ズミ、入ズミ、曲ガリ、コーナー、及びストレートジョイント、又はエンド等が揃えられている。
【０００４】
これらの配線モールの部材では、柱を越えたり、段差のある面には対応できなかった。さらに高低差のある屈曲する部分の施工は難があり、電線を露出することで美観と被覆の損傷の発生する問題があった。
【０００５】
そこで、上記の問題を解決することから配線モール用フレキシブルモールであつて、全長にわたり軟質樹脂で形成され、中間に屈曲可能な可撓部、両端をベースの受け部に連結される固定部とし、固定部が外側に軟質樹脂材層、内側に硬質樹脂層二重構造なる配線モール用フレキシブルカバーがある（例えば特許文献１参照）。
【０００６】
また、内部に配線を収容する筒形の配線モールであつて、屈曲自在な蛇腹形の本体部に対して、一端には剛体形連結部が嵌入連結部を備えていることにより、曲がり部用配線モールを連結して、長く複雑な曲がり部分にも対応することが可能になる曲がり部用配線モールがある（例えば特許文献２参照）。
【先行技術文献】
【特許文献】
【０００７】
【特許文献１】特開昭６２-２２５１１９
【特許文献２】実開平５-９１１１８号
【発明の概要】
【発明が解決しようとする課題】
【０００８】
しかし、電気配線で前記記載の配線モールを用いて施工する際、建造物の構造においては様々な配線施工の要求があり、例えば図４の配線施工において、図中の曲り配線で、Ｘ部分は壁面Ｗで立ち上げて曲げながら戸棚底板面HFに縁に沿って配線モール施工で壁面Ｗから天井面CS、戸棚底板面HF、又は壁面Ｗから床面Ｆとの交わる隅部の見切りより隅沿い配線モール、又はＹの部分は壁面Ｗより立下げて曲げながら柱側面PSに配線モール施工において、従来の部材を用いて施工をするとき、Ｘ部分においては入ズミと短い直線配線モール、及び曲等を用いて接続施工する。
またＹ部分においては曲がり、短い配線モール、及び入ズミを用いて接続施工する。
以上のように手間がかかり効率が悪い、また隅に沿って施工がしずらく、美観が悪いものである。
【０００９】
また、特許文献１の発明の配線モール用フレキシブルカバーを用いるとき、Ｆケーブルを収める配線モールの施工で、前記（０００７）項記載のＸ部分、Ｙ部分の施工において、フレキシブルカバー１本のみで施工をすると曲がりが複雑となり、変形形態が悪くＦケーブルとの収まりがよくないことから、他の部材を用いることになり美観もよくないものである。
【００１０】
また、特許文献２の考案においても、前記（０００８）項記載と同様であるが、さらに配線モールにＦケーブルを収めて施工するにあたり、前もってＦケーブルを曲がり部用配線モール内に収めて施工を行はなければならない、配線施工が長い距離ほど手間がかかり、効率が悪いものである。
【００１１】
以上のように各文献においても前記記載（０００８）項に示した、配線モール施工で壁面Ｗから天井面CS、戸棚底板面HF、又は壁面Ｗから床面Ｆとの交わる隅部の見切りより隅沿い配線モール、又はＹの部分は壁面Ｗより立下げて曲げながら柱側面PSに配線モール施工においても効率、及び仕上がりの美観においても解決できないものである。
【課題を解決するための手段】
【００１２】
そこで本発明は、上記の課題になされたもので、建築の配線工事に配線モールを用いるとき、建築の複雑な曲がりなどの構造から様々な部材が要求されることから、例えば出ズミ（出角）、入ズミ（入角）または曲がり接続などを用いるが、それぞれの部材一台ではできない構造がある。
例えば壁面に配線モール材を垂直に取付、垂直取付の上端を天井面隅に沿って配線モールを取付延長する施工において、複雑な曲がりとなることから、数点の部材の組み合わせとなる。
よって、配線モール施工で壁面Ｗから天井面CS、及び戸棚底板面HFとの交わる隅部の見切りより隅沿い配線モール、又はＹの部分は壁面Ｗより立下げて曲げながら柱側面PSに配線モール施工においても解決するものである。
同様に壁面の垂直にし、下端より床の配線モール、さらに壁面より凸形の柱等に配線モールを一台の曲がり接続具で容易に施工が可能となる曲がり部材を提供するものである。
【００１３】
上記の目的を達成するために、本発明は電気配線に用いる配線モールの施工する際において、壁面から天井面、又は壁面から柱面との交わる隅部の見切りに当接し、配線モール間に設けられる配線モール曲がり接続具であって、
前記配線モール曲がり接続具の構成は両端断面をコ字状開口形とした、両端コ字状配線モールカバーと一端の断面コ字状にして、もう一方の端を終端とした終端形配線モールカバーを用いて、該終端形配線モールカバーの終端側カバー正面、及び側面に前記コ字状開口形の寸法の開口部を設け、該開口部の正面に前記両端コ字状配線モールカバーの端部コ字状開口形と前記終端形配線モールカバーの前記開口部と合わせ、取付け固定し、前記終端形配線モールカバーのうちの開口部を設けた側の側面と、前記両端コ字状配線モールカバーの内面とからなる、Ｌ字型をしていることを特徴とする。
【００１４】
また、  前記終端形配線モールカバーに設けた前記開口部を広げ、前記両端コ字状配線モールカバーの一方端のコ字状の外形と開口を同様に広げ、前記終端形配線モールカバーの広げた前記開口部の正面に前記両端コ字状配線モールカバーの広げた端部コ字状開口形を合わせ取付け固定したことを特徴とする。  
【００１５】
また、前記両端コ字状配線モールカバーと前記終端形配線モールカバーをフレキシブルカバー形状に形成、又は前記両端コ字状配線モールカバー、あるいは前記終端形配線モールカバーの一方をフレキシブルカバー形状に形成したことを特徴とする。
【００１６】
また、前記配線モール曲がり接続具を構成する両端コ字状配線モールカバーと終端形配線モールカバーをポリ塩化ビニルなどの合成樹脂材で一体成形することを特徴とする。
【発明の効果】
【００１７】
本発明により、壁面より天井面、床面、又は壁面より柱面への配線モール施工において、それぞれ交わる隅部の見切りに当接し、見切り沿い（隅沿い等）への配線モール施工が容易にでき、施工効率の向上を図ることができる。
さらに、家庭内の様々なケーブル配線の容易な施工に役立つものである。
【００１８】
また、配線モール施工の簡素な仕上がりとなり、配線モールの仕上がりの状態の美観が良い。
【図面の簡単な説明】
【００１９】
【図１】本発明の第一実施例において、図１の図a）は両端コ字状配線モールカバーを終端形配線モールカバーの終端側正面に取付する状態斜視図である。図１の図b)は図a)の状態から取付、固定をした斜視図である。
【図２】本発明の第一実施例において、図２の図ａ）は両端コ字状配線モールカバーを終端形配線モールカバーの終端左側正面に設けた左曲がり配線モール曲がり接続具1Rの斜視図、図２の図ｂ）は両端コ字状配線モールカバーを終端形配線モールカバーの終端右側正面に設けた右曲がり配線モール曲がり接続具1Lの斜視図である。
【図３】本発明の第一実施例において、図３の図ａ）は図２の図ａ）の正面図、図３の図ｂ）はＡカバー側よりの平面図、図３の図ｃ）はＢカバー側の内側よりの平面図である。
【図４】本発明の第一実施例において、図１、及び図２の配線モール曲がり接続具にＦケーブルを通した形態のＡカバー側の内側よりの正面図である。
【図５】屋内の造営材に配線モールと配線モール曲がり接続具を取付けた形態の全体図である。
【図６】本発明の第一実施例において、図５に示したＸの上接続位置の拡大斜視図である。
【図７】本発明の第一実施例において、図５に示したＹの下接続位置の拡大斜視図である。
【図８】本発明の第一実施例において、配線モール材と配線モール曲がり接続具の接続の形態の図で、図８の図ａ）は結合部分の断面図、図８の図ｂ）は結合部分の正面図である。
【図９】本発明の第二実施例において、接続部を広角開口部に設けた配線モール曲がり接続具の図で、図９の図ａ）は斜視図、図９の図ｂ）は図ａ）の正面図、図９の図ｃ）は平面図である。
【図１０】本発明の第三実施例において、左曲がりの配線モール曲がり接続具のＡ側モールカバーをフレキシブルに設けた図で、図10の図ａ）は斜視図、図10の図ｂ）は正面図である。
【図１１】本発明の第三実施例において、左曲がりの配線モール曲がり接続具のＢ側モールカバーをフレキシブルに設けた正面図である。
【発明を実施するための形態】
【００２０】
本発明の第一実施例について図を参照しながら説明する。
【００２１】
最初に、本発明の第一実施例の形態について、図１から図８までを参照して説明する。
図１は本発明の第一実施例において、図１の図a）は両端コ字状配線モールカバーを終端形配線モールカバーの終端側正面に取付する状態斜視図である。図１の図b)は図a)の状態から取付、固定をした斜視図である。
【００２２】
ここで、両端コ字状配線モールカバーを以後Ａ側モールカバーＡと記載、終端形配線モールカバーをＢ側モールカバーＢと記載する。
【００２３】
図２は本発明の第一実施例について、図２の図ａ）はＡ側モールカバーＡの内側をＢ側モールカバーＢの終端左側正面に設けた左曲がり配線モール曲がり接続具1Rの斜視図、図２の図ｂ）はＡ側モールカバーＡをＢ側モールカバーＢの終端右側正面に設けた右曲がり配線モール曲がり接続具1Lの斜視図である。
図３は本発明の第一実施例の、図３の図ａ）はＡ側モールカバーＡの内側を左方向に設けた左曲がり配線モール曲がり接続具1Rの図１の図ａ）の正面図、図３の図ｂ）はＡカバー側3Aよりの平面図、図３の図ｃ）はＢカバー側3Bの内側よりの平面図である。
図４は本発明の第一実施例の、図１、及び図２の左曲がり配線モール曲がり接続具1RにＦケーブルを通した形態のＡカバー側Ａの内側よりの正面図である。
図５は屋内の造営材に直線形配線モールＭと配線モール曲がり接続具1Rを取付けた形態配線施工の全体図である。
図６は本発明の第一実施例の、図５に示した屋内の造営材に直線形配線モールＭを密着し、配線施工において、Ｘの上接続位置に施工した左曲がり配線モール曲がり接続具1Rの拡大図斜視図である。
図７は本発明の第一実施例の、図５に示した屋内の造営材施工において、Ｙの下接続位置に施工した右曲がり配線モール曲がり接続具1Lの拡大図斜視図である。
図８は本発明の第一実施例の、直線形配線モールＭ材と配線モール曲がり接続具1R及び1Lの接続の形態の図で、図８の図ａ）は結合部分の断面図、図８の図ｂ）は結合部分の正面図である。
【００２４】
図１から図８に示すが如く、第一実施例の図１の図ａ）よりＡ側モールカバーＡのコ字状開口９をＢ側モールカバーＢのＢモールカバー正面3Bの左側に開口部8Aに合わせ取付、固定し結合部２とした図１の図ｂ）に示す構成で、Ａ側モールカバーをＢモールカバー正面の左側に設けた左曲がり配線モール曲がり接続具1Rの斜視図である。
【００２５】
図２の図ａ）はＡ側モールカバーを左曲がり配線モール曲がり接続具1RでＡモールカバー正面3Aより見た斜視図である。
また、図２の図ｂ）はＡ側モールカバーを右曲がり配線モール曲がり接続具1RでＡモールカバー正面3Aより見た斜視図である。
図３はＡ側モールカバーを左方向1Rの各方向よりの示す図で、図ａ）の正面図、図３の図ｂ）はＡカバー側3Aよりの平面図、図３の図ｃ）はＢカバー側3Bの内側よりの平面図で、図１、図２、及び図３における図より、4AはＡ側モールカバーＡ側面、3AはＡ側モールカバー正面、4BはＢモールカバー側面、3BはＢ側モールカバー正面、及び５はモールカバー内面である。
よって、配線モール曲がり接続具は前記記載の各図説明と前項（００１３）記載の如く、Ａ側モールカバーＡ（両端コ字状配線モールカバー）と、Ｂ側モールカバーＢ（終端形配線モールカバー）の構成からなり、前記終端形配線モールカバーの開口部を設けた側の側面と、前記両端コ字状配線モールカバーの内面とからなる、Ｌ字型をした型となる。
また、ＫはＦケーブルで前記図１、図２、及び図３の点線で示し、Ａ側モールカバーＡとＢ側モールカバーＢの配線モール曲がり接続具内を通す経路の図である。
【００２６】
ここで、図４よりＡ側モールカバーＡの内側とＢ側モールカバーの内側にケーブル、例としてＦケーブルＫを被せて配線モール施工において、前記結合部２の部分でＦケーブルＫが余裕をもって曲がる構造とし、Ａカバー側面4A及びＢカバー側面4BよりＦケーブルＫがはみ出ることなく施行が可能とする。
【００２７】
ここで、図５より屋内配線モール施工を示す、前記のような構造の配線モール曲がり接続具1R及び1Lと直線形配線モールＭを用いて連結施工をし、配線モール内にＦケーブルＫ配線の施工について説明する。
【００２８】
図５に示すように、Ｆケーブルを用いた配線モール施工において、柱側面PSの面に設けた埋込コンセントＣより電源として接続し、配線モールを立ち上げ電源スイッチＳを経て吊戸棚Ｈの戸棚底板面HF立ち上げ、壁面Ｗの接合の該戸棚低板面HFの隅に沿って配線モールを施工し、照明器具への配線工事のＦケーブルＫの配線モール施工をする。
【００２９】
図５より、配線モールの施工にあたり、スイッチＳの位置を決め、次に既設のコンセントＣの水平延長上の柱側面PSと壁面Ｗとの入角で交わる隅部の見切り図７の下位接続位置Ｙを定め、天井面CS付近に設けた吊戸棚Ｈの戸棚底板面HFと壁面Ｗとの入角で交わる隅部の見切り図６の上接続位置Ｘを定めて、図６、図７に示すように、この２カ所のうち１カ所の図７の下位接続位置Ｙに前記右曲がり配線モール曲がり接続具１Ｌの装着位置を定める。
また、図６の上位接続位置Ｘに前記左曲がり配線モール曲がり接続具１Ｒの装着位置を定める。
よって、コンセントＣから前記右曲がり配線モール曲がり接続具1Ｌの装着位置まで、さらに前記右曲がり配線モール曲がり接続具1ＬからスイッチＳ端の位置まで、またスイッチＳ端より図６の上位接続位置Ｘに前記左曲がり配線モール曲がり接続具1Ｒの装着位置まで、さらに図６の上位接続位置Ｘに前記左曲がり配線モール曲がり接続具1Ｒの装着位置より照明器具の取付位置までを定める。
本発明の配線モール曲がり接続具１を用いることで、壁面Ｗと天井面CS（図においては、吊戸棚Ｈの戸棚底板面HF）との交わる隅部の見切りに当接し、見切り沿いに配線モール施工をおこなうものである。
【００３０】
それぞれを定めた位置までに直線形配線モールＭの各々の長さを用いて、柱側面PS、壁面Ｗ、及び戸棚底板面HFに密接に取付、直線形配線モールＭの内部にＦケーブルを収め、直線形配線モールＭのカバーを装着し、コンセントＣ、スイッチＳ、及び照明器具にＦケーブルＫを結線する。
配線完了後に図７の下位接続位置Ｙと図６の上位接続位置Ｘの部分に前記左配線モール曲がり接続具1Ｒと前記右曲がり配線モール曲がり接続具1Ｌを直線形配線モールＭのカバー端に被せながら、図８に示すように装着する。装着において前記配線モール曲がり接続具の前記左曲がり配線モール曲がり接続具1Ｒ、前記右曲がり配線モール曲がり接続具1Ｌに設けた嵌合片６と直線形配線モールＭの受け部７とかみ合い前記配線モール曲がり接続具の夫々を装着し固定する。
固定した前記左曲がり配線モール曲がり接続具1Ｒ、前記右曲がり配線モール曲がり接続具1Ｌ内のＦケーブルＫを収まった状態は前記記載の図４に示すものである。
【００３１】
なお、前記記載の前記直線形配線モールＭに前記左曲がり配線モール曲がり接続具1Ｒ、前記右曲がり配線モール曲がり接続具1Ｌを装着において、図６に示すように上位接続位置Ｘに前記左曲がり配線モール曲がり接続具1Ｒの装着において、壁面Ｗ側の直線形配線モールＭのカバーの面には、前記左曲がり配線モール曲がり接続具1ＲのＡ側モールカバーＡを装着し、戸棚底板面HF側の直線形配線モールＭのカバーにはＢ側モールカバーＢを装着する。
また、図７に示すように下位接続位置Ｙに前記右曲がり配線モール曲がり接続具1Ｌの装着において、壁面Ｗ側の直線形配線モールＭのカバーの面には、前記右曲がり配線モール曲がり接続具1ＬのＢ側モールカバーＢを装着し、柱側面PS側の直線形配線モールＭのカバーにはＡ側モールカバーＡを装着する。
よって、前記直線形配線モールＭに前記左曲がり配線モール曲がり接続具1Ｒ及び、右曲がり配線モール曲がり接続具１Ｌを装着する。
【００３２】
なお、前記記載の上位接続位置Ｘ、下位接続位置Ｙにおける既存の配線モール部材（例えば、曲がり、入ズミ、出ズミなど）を用いると、一例として次のように複雑な組み合わせとなる。
前記記載（００１０）の項に記載の如く、上位接続位置Ｘの部分においては入ズミと短い配線モールと曲がりを用いて接続した一組とし、その両端より直線形配線モールＭを接続し、施工をする。しかし角の隅に沿っての配線施工は無理がある。
また、曲がり部用配線モールを用いて施工することも可能であるが、曲り部用配線モール内にケーブルをあらかじめ通して、配線モール一式を施工しなければならず、手間がかかり作業効率が悪いものであり、美観上もやや悪いものである。
また、下位接続位置Ｙの施工も上記と同様である。
【００３３】
本発明の第二実施例について図を参照しながら説明する。
【００３４】
本発明の第二実施例の形態について、図９の図ａ）、図ｂ）、及び図ｃ）を参照して説明する。
図９は接続部を広角開口部に設けた配線モール曲がり接続具の図で、図ａ）は斜視図、図ｂ）は図ａ）の正面図、図ｃ）は平面図である。
【００３５】
図９に示すがごとく、Ａ側モールカバーＡとＢ側モールカバーＢの結合部２において、Ｂ側モールカバーＢのＢカバー正面3Bの前記結合部２を広角開口部にした広角結合部2Cに設け、Ａ側モールカバーＡの一方端部分を広角カバー21に形成した広角形ジョイントカバー3Cとした広角側モールカバー1Aで、図ａ）は広角モールカバー1Aの斜視図である。図ｂ）は図ａ）の正面図である。図ｃ）は広角モールカバー1Aの広角結合部21の広角カバー部21の前面より見た平面図である。
【００３６】
よって、本発明の第一実施例の記載の屋内施工工程と同様に、配線モール曲がり接続具2Rと直線形配線モールＭを用いて連結施工をし、配線モール内にＦケーブルＫ配線の施工において、配線モールを壁面等に密着、取付し、様々なケーブルを配線モール内に収める工程上で配線モール曲がり接続具2Rの部分の曲がり、送り配線において、曲がり部分が広角カバー部21と広角結合部2Cにより、図５、図６、及び図７に前記記載の如く、上位接続位置Ｘの部分、及び下位接続位置Ｙの部分の施工において、ケーブルの種類にこだわらず曲がりと収めが容易であることから、作業の効率が改善されるものである。
【００３７】
よって、前記終端形配線モールカバーＢの正面側開口部8A、及び側面側開口部8Bの開口部分の外形全体を広げるとともに前記両端コ字状配線モールカバーＡの一方端のコ字状先端部分の外形、及び開口を終端形配線モールカバーＢの開口部分の広げた形状と同様に広げる形状にし、終端形配線モールカバーＢの部分開口部の正面に前記両端コ字状配線モールカバーＡ一方端のコ字状先端部分と取付、固定することで、外形全体を広く大径に設けることも可能である。
また、開口部のみ広げることと異なり、外形全体を広い体積にすることで太いケーブル、又は複数のケーブルの挿入においての曲がりに対し容易に施工が可能である。
【００３８】
本発明の第三実施例について図を参照しながら説明する。
【００３９】
本発明の第三実施例の形態について、図10と図1１を参照して説明する。
図10の図ａ）図ｂ）は左曲がりの配線モール曲がり接続具のＡ側モールカバーをフレキシブルカバー形状に形成した図で、Ａ側モールカバーＡをフレキシブルカバー2D形状に形成し、Ｂ側モールカバーＢの左側の正面側開口部8Aと側面側開口部8Bにし、前記正面側開口部8Aの全面にフレキシブルカバー2D形状を取付、固定し、結合部２とした左曲がり配線モール曲がり接続具3Rの図で、図ａ）はフレキシブル形状の左曲がり配線モール曲がり接続具3Rの斜視図である。図ｂ）は図a)の正面図である。
また、図11は左曲がりの配線モール曲がり接続具のＢ側モールカバーＢをフレキシブルカバー3D形状を取り付けた図で、Ｂ側モールカバーＢにフレキシブルカバー３D形状に形成した左曲がり配線モール曲がり接続具4R正面図である。
【００４０】
よって、本発明の第一実施例の記載の屋内施工工程の図５と同様に、左曲がり配線モール曲がり接続具3R及び左曲がり配線モール曲がり接続具4Rと直線形配線モールＭを用いて連結施工をし、配線モール内にＦケーブルＫ配線の施工において、配線モールを壁面等に密着、取付において、曲がり部分に廻り縁、竿縁などの造営材の段差を超え施工をおこなうときに用いる部材で、Ａ側モールカバーにフレキシブル形に設けた配線モール曲がり接続具3R及びＢ側モールカバーにフレキシブル形に設けることで、壁面と天井面との交わる隅部の見切り縁等をフレキシブル形により、見切り縁を超えて容易に施工ができる配線モール曲がり接続具4Rである。
【００４１】
なお、右曲がりの配線モール曲がり接続具であるＢ側モールカバーにフレキシブル形状に形成することも同様の効果を得るものである。
【００４２】
本発明の第四実施例について説明する。
【００４３】
本発明の第四実施例の形態の前記配線モール曲がり接続具を一体成型について、合成樹脂が一体となった前記配線モール曲がり接続具を製造するための成形において、樹脂成形の金型の内部に金属部品を装填した後、金型に樹脂を注入して金属と樹脂を一体成形する。
よって、両端コ字状配線モールカバーと終端形配線モールカバーの接合を接着や機械的接合を用いないで、一体で成形によって、製品単価を引き下げることができる。よって、両端コ字状配線モールカバーと終端形配線モールカバーを組み立てるのに比べ、製品自体の小型化、軽量化が可能になり、接着・溶接時の部品の劣化を無くすことができる。
【００４４】
ここで、配線モール曲がり接続具を一体成形するにおいて、可塑剤を加えたポリ塩化ビニール材などの合成樹脂材を用いて軟質な材質で制作をする。
【００４５】
また、左曲がり配線モール曲がり接続具1R、2R、3R、4R、及び右曲がり配線モール曲がり接続具1Lは合成樹脂製で形成されているが、銅製などの金属製で加工することも可能である。
【符号の説明】
【００４６】
1R：2R：3R：4Rは左曲がりの配線モール曲がり接続具
1Lは右曲がりの配線モール曲がり接続具
Ａは両端コ字状配線モールカバー（Ａ側モールカバー）
Ｂは終端形配線モールカバー（Ｂ側モールカバー）
1Aは広角側モールカバー
2AはフレキシブルＡ側モールカバー
2BはフレキシブルＢ側モールカバー
２は結合部
2Cは広角結合部
2D：3Dはフレキシブルカバー
21は広角カバー部
3AはＡモールカバー正面 
3BはＢモールカバー正面  
4AはＡモールカバー側面
4BはＢモールカバー側面
3Cは広角形ジョイントカバー
５はモールカバー内面
６は嵌合片
７は受け部
7BはＢカバー底面
8Aは正面側開口部
8Bは側面側開口部
９はコ字状開口
Ｃはコンセント
CSは天井面
Ｆは床面
Ｇはガラス面
Ｈは吊戸棚
HFは戸棚底板面
ＫはＦケーブル
Ｐは柱正面
PSは柱側面
Ｓはスイッチ
Ｗは壁面
Ｍは直線形配線モール
Ｘは上接続位置
Ｙは下接続位置
【要約】
【課題】  建築の配線工事に配線モールを用いるとき、建築の複雑な曲がりなどの構造から様々な部材が要求されるが、その形態をさらに改善し容易に施工し、美観も改善した曲がり部材を提供する。
【解決手段】  建築の造営材の配線工事に配線モールを用いて、配線モール内にＦケーブル、などの配線の施工において、建物の複雑な構造から様々な部材、例えば出ズミ（出角）、入ズミ（入角）または曲がり接続などを用いるが、それぞれの部材一台ではできない構造がある。例えば壁面に配線モール材を垂直に取付、垂直取付の上端を天井面隅に沿って配線モールを取付延長する施工において、複雑な曲がりとなることから、数点の部材の組み合わせとなる。同様に壁面の垂直にし、下端より床の配線モール、さらに壁面より凸形の柱等に配線モールを一台の曲がり接続具で容易に施工が可能となる。
【選択図】図４【図１】
0006757108.tif 000002
【図２】
0006757108.tif 000003
【図３】
0006757108.tif 000004
【図４】
0006757108.tif 000005
【図５】
0006757108.tif 000006
【図６】
0006757108.tif 000007
【図７】
0006757108.tif 000008
【図８】
0006757108.tif 000009
【図９】
0006757108.tif 000010
【図１０】
0006757108.tif 000011
【図１１】
0006757108.tif 000012